(57)【要約】【課題】  地図上で情報発信を行うことができ、古くなった情報を特定期間経過後に削除して旬の情報を残すことができる情報発信システム及び情報発信プログラムを提供する。【解決手段】  発信情報管理サーバ１が、地図情報提供サーバ２から提供された地図情報における特定位置がユーザのスマートフォン４によって指定されると、位置情報を取得し、当該位置情報に関連付けて、生成されたスレッドと、スレッドに関連付けて投稿されたコメントを記憶装置１２に記憶すると共に、ユーザのスマートフォン４からの要求によりスレッドとコメントを表示出力し、有効期間を経過したコメントとスレッドを削除するものである。【選択図】        図１
2020071861.tif 000002
【特許請求の範囲】
【請求項１】
発信情報を管理するサーバを有する情報発信システムであって、
前記サーバは、提供された地図情報における特定位置がユーザの端末によって指定されると、位置情報を取得し、当該位置情報に関連付けて、生成されたスレッドと、前記スレッドに関連付けて投稿されたコメントを記憶すると共に、ユーザの端末からの要求により前記スレッドと前記コメントを表示出力し、有効期間を経過した前記コメントと前記スレッドを削除することを特徴とする情報発信システム。
【請求項２】
発信情報を管理するサーバを有する情報発信システムであって、
前記サーバは、提供された地図情報における特定位置がユーザの端末によって指定されると、位置情報を取得し、当該位置情報に関連付けて、生成されたスレッドと、前記スレッドに関連付けて投稿されたコメントを記憶すると共に、ユーザの端末からの要求により前記スレッドと前記コメントを表示出力し、有効期間が経過した前記コメントを削除し、前記スレッドに関連付けられた全てのコメントが削除されると、当該スレッドを削除することを特徴とする情報発信システム。
【請求項３】
サーバは、スレッドにおいて広告用として生成された広告用のスレッドについて、コメントの削除を行うが、当該広告用のスレッドの削除を行わないことを特徴とする請求項１又は２記載の情報発信システム。
【請求項４】
サーバは、地図上で対応する位置にスレッドのアイコンを表示することを特徴とする請求項１乃至３のいずれか記載の情報発信システム。
【請求項５】
サーバは、表示された地図のエリア内に位置するスレッドを一覧表示することを特徴とする請求項１乃至４のいずれか記載の情報発信システム。
【請求項６】
（スマホに近い位置の順に一覧表示）
サーバは、ユーザの端末から近い順にスレッドを一覧表示することを特徴とする請求項５記載の情報発信システム。
【請求項７】
サーバは、表示された地図のエリア内に位置するスレッドに関連付けられた新規のコメントが投稿されると、前記スレッドの生成に係るユーザの端末及び前記スレッドに関連付けられたコメントの投稿に係るユーザの端末に前記新規のコメントの投稿を通知することを特徴とする請求項１乃至６のいずれか記載の情報発信システム。
【請求項８】
サーバは、複数のスレッドをグループとするチャネルを複数設定可能とし、特定のチャネルがユーザの端末から選択されると、当該チャネル内のスレッドを表示出力し、有効期間を経過したチャネルを削除することを特徴とする請求項１乃至７のいずれか記載の情報発信システム。
【請求項９】
サーバは、ユーザ本人以外のスレッドであって当該ユーザがコメントしたスレッドを選択して参加中のスレッドとして一覧表示することを特徴とする請求項１乃至８のいずれか記載の情報発信システム。
【請求項１０】
サーバは、ユーザ本人が生成したスレッドを選択してマイスレッドとして一覧表示することを特徴とする請求項１乃至８のいずれか記載の情報発信システム。
【請求項１１】
情報発信システムにおける発信情報を管理するサーバで動作するプログラムであって、
前記サーバを、提供された地図情報における特定位置がユーザの端末によって指定されると、位置情報を取得し、当該位置情報に関連付けて、生成されたスレッドと、前記スレッドに関連付けて投稿されたコメントを記憶すると共に、ユーザの端末からの要求により前記スレッドと前記コメントを表示出力し、有効期間を経過した前記コメントと前記スレッドを削除するよう機能させることを特徴とする情報発信プログラム。
【請求項１２】
情報発信システムにおける発信情報を管理するサーバで動作するプログラムであって、
前記サーバを、提供された地図情報における特定位置がユーザの端末によって指定されると、位置情報を取得し、当該位置情報に関連付けて、生成されたスレッドと、前記スレッドに関連付けて投稿されたコメントを記憶すると共に、ユーザの端末からの要求により前記スレッドと前記コメントを表示出力し、有効期間が経過した前記コメントを削除し、前記スレッドに関連付けられた全てのコメントが削除されると、当該スレッドを削除するよう機能させることを特徴とする情報発信プログラム。
【請求項１３】
サーバを、スレッドにおいて広告用として生成された広告用のスレッドについて、コメントの削除を行うが、当該広告用のスレッドの削除を行わないよう機能させることを特徴とする請求項１１又は１２記載の情報発信プログラム。
【請求項１４】
サーバを、地図上で対応する位置にスレッドのアイコンを表示するよう機能させることを特徴とする請求項１１乃至１３のいずれか記載の情報発信プログラム。
【請求項１５】
サーバを、表示された地図のエリア内に位置するスレッドを一覧表示するよう機能させることを特徴とする請求項１１乃至１４のいずれか記載の情報発信プログラム。
【請求項１６】
サーバを、ユーザの端末から近い位置の順にスレッドを一覧表示するよう機能させることを特徴とする請求項１５記載の情報発信プログラム。
【請求項１７】
サーバを、表示された地図のエリア内に位置するスレッドに関連付けられた新規のコメントが投稿されると、前記スレッドの生成に係るユーザの端末及び前記スレッドに関連付けられたコメントの投稿に係るユーザの端末に前記新規のコメントの投稿を通知するよう機能させることを特徴とする請求項１１乃至１６のいずれか記載の情報発信プログラム。
【請求項１８】
サーバを、複数のスレッドをグループとするチャネルを複数設定可能とし、特定のチャネルがユーザの端末から選択されると、当該チャネル内のスレッドを表示出力し、有効期間を経過したチャネルを削除するよう機能させることを特徴とする請求項１１乃至１７のいずれか記載の情報発信プログラム。
【請求項１９】
サーバを、ユーザ本人以外のスレッドであって当該ユーザがコメントしたスレッドを選択して参加中のスレッドとして一覧表示するよう機能させることを特徴とする請求項１１乃至１８のいずれか記載の情報発信プログラム。
【請求項２０】
サーバを、ユーザ本人が生成したスレッドを選択してマイスレッドとして一覧表示するよう機能させることを特徴とする請求項１１乃至１８のいずれか記載の情報発信プログラム。
【発明の詳細な説明】
【技術分野】
【０００１】
本発明は、位置情報に関連付けられた情報発信を行う情報発信システムに係り、特に、古くなった発信情報を整理して、旬の情報が表示されるようにした情報発信システム及び情報発信プログラムに関する。
【背景技術】
【０００２】
［従来の技術］
従来、短文、写真などで情報発信を行う様々なＳＮＳ（Social Networking Service）アプリがある。
ＳＮＳは、情報の発信、共有、拡散といった機能を備え、インターネットを介して人間関係を構築するものとなっている。
近年、様々な特性を生かしたＳＮＳが利用されており、今後も利便性の高いＳＮＳの登場が期待されている。
【０００３】
［関連技術］
尚、関連する先行技術文献として、特開２００６−２６８４８８号公報「画像表示システム、端末及びそのプログラム」（特許文献１）、特開２００９−０１５８０７号公報「位置情報付きコンテンツ収集方法、及びリアルタイム集配信システム」（特許文献２）、特許第５７７３７５９号公報「情報を共有するための方法、サーバ装置およびプログラム」（特許文献３）、特開２０１４−１４６３５７号公報「コンピュータ・プログラム並びに情報通信装置」（特許文献４）がある。
【０００４】
特許文献１には、端末の異なる地図アプリの地図情報を使用してもアップされた画像情報をグループ内で共有できるようにした画像表示システムが示されている。
特許文献２には、位置コンテンツをリアルタイムで収集し、利用者に位置コンテンツのインデックス情報を配信するコンテンツ収集方法が示されており、特に、地図上にはアイコンが表示され、地図の横にインデックス一覧が表示されるものとなっている。
【０００５】
特許文献３には、投稿者の位置を点又はアイコンでプロットし、その点等にカーソルを持って行くとメッセージを表示することが示されており、更に時間が経過すると点等の色の濃淡が薄くなるものとなっている。
特許文献４には、不特定多数のユーザ間でデータ交換を行うもので、自分アイコンと検索条件に合う他人アイコンが地図に表示され、コンタクト可能とすることが示されている。
【先行技術文献】
【特許文献】
【０００６】
【特許文献１】特開２００６−２６８４８８号公報
【特許文献２】特開２００９−０１５８０７号公報
【特許文献３】特許第５７７３７５９号公報
【特許文献４】特開２０１４−１４６３５７号公報
【発明の概要】
【発明が解決しようとする課題】
【０００７】
しかしながら、従来のＳＮＳアプリでは、発信された情報はネットワーク上に蓄積され、時間の経過により価値が失われた情報がいつまでも残って検索の使い勝手を悪くしているという問題点があった。
【０００８】
特に、地図上に掲載される情報は表示の制約があるため、地図上に古くなって価値のない情報がいつまでも残ると、地図からの情報検索を困難なものになっていた。
【０００９】
尚、特許文献１〜４には、ユーザが発信したトピック（テーマ）について、それに関連するコメントの旬の状況を保持しつつ、そのコメントとトピックを整理することは記載されていない。
【００１０】
（発明の目的）
本発明は上記実状に鑑みて為されたもので、地図上で情報発信を行うことができ、古くなった情報を特定期間経過後に削除して旬の情報を残すことができる情報発信システム及び情報発信プログラムを提供することを目的とする。
【課題を解決するための手段】
【００１１】
（スレッドのコメントを投稿、削除のシステム）
上記従来例の問題点を解決するための本発明は、発信情報を管理するサーバを有する情報発信システムであって、サーバが、提供された地図情報における特定位置がユーザの端末によって指定されると、位置情報を取得し、当該位置情報に関連付けて、生成されたスレッドと、スレッドに関連付けて投稿されたコメントを記憶すると共に、ユーザの端末からの要求によりスレッドとコメントを表示出力し、有効期間を経過したコメントとスレッドを削除することを特徴とする。
【００１２】
（全てのコメント削除でスレッド削除するシステム）
本発明は、発信情報を管理するサーバを有する情報発信システムであって、サーバが、提供された地図情報における特定位置がユーザの端末によって指定されると、位置情報を取得し、当該位置情報に関連付けて、生成されたスレッドと、スレッドに関連付けて投稿されたコメントを記憶すると共に、ユーザの端末からの要求によりスレッドとコメントを表示出力し、有効期間が経過したコメントを削除し、スレッドに関連付けられた全てのコメントが削除されると、当該スレッドを削除することを特徴とする。
【００１３】
（広告スレッド残し、コメント削除）
本発明は、上記情報発信システムにおいて、サーバが、スレッドにおいて広告用として生成された広告用のスレッドについて、コメントの削除を行うが、当該広告用のスレッドの削除を行わないことを特徴とする。
【００１４】
（地図上にスレッドのアイコン表示）
本発明は、上記情報発信システムにおいて、サーバが、地図上で対応する位置にスレッドのアイコンを表示することを特徴とする。
【００１５】
（地図エリア内のスレッド一覧表示）
本発明は、上記情報発信システムにおいて、サーバが、表示された地図のエリア内に位置するスレッドを一覧表示することを特徴とする。
【００１６】
（スマホに近い位置の順に一覧表示）
本発明は、上記情報発信システムにおいて、サーバが、ユーザの端末から近い順にスレッドを一覧表示することを特徴とする。
【００１７】
（プッシュ機能）
本発明は、上記情報発信システムにおいて、サーバが、表示された地図のエリア内に位置するスレッドに関連付けられた新規のコメントが投稿されると、スレッドの生成に係るユーザの端末及びスレッドに関連付けられたコメントの投稿に係るユーザの端末に新規のコメントの投稿を通知することを特徴とする。
【００１８】
（グループチャネル）
本発明は、上記情報発信システムにおいて、サーバが、複数のスレッドをグループとするチャネルを複数設定可能とし、特定のチャネルがユーザの端末から選択されると、当該チャネル内のスレッドを表示出力し、有効期間を経過したチャネルを削除することを特徴とする。
【００１９】
（参加中のスレッド表示）
本発明は、上記情報発信システムにおいて、サーバが、ユーザ本人以外のスレッドであって当該ユーザがコメントしたスレッドを選択して参加中のスレッドとして一覧表示することを特徴とする。
【００２０】
（マイスレッド表示）
本発明は、情報発信システムにおいて、サーバが、ユーザ本人が生成したスレッドを選択してマイスレッドとして一覧表示することを特徴とする。
【００２１】
（スレッドのコメントを投稿、削除のプログラム）
本発明は、情報発信システムにおける発信情報を管理するサーバで動作する情報発信プログラムであって、サーバを、提供された地図情報における特定位置がユーザの端末によって指定されると、位置情報を取得し、当該位置情報に関連付けて、生成されたスレッドと、スレッドに関連付けて投稿されたコメントを記憶すると共に、ユーザの端末からの要求によりスレッドとコメントを表示出力し、有効期間を経過したコメントとスレッドを削除するよう機能させることを特徴とする。
【００２２】
（全てのコメント削除でスレッド削除）
本発明は、情報発信システムにおける発信情報を管理するサーバで動作する情報発信プログラムであって、サーバを、提供された地図情報における特定位置がユーザの端末によって指定されると、位置情報を取得し、当該位置情報に関連付けて、生成されたスレッドと、スレッドに関連付けて投稿されたコメントを記憶すると共に、ユーザの端末からの要求によりスレッドとコメントを表示出力し、有効期間が経過したコメントを削除し、スレッドに関連付けられた全てのコメントが削除されると、当該スレッドを削除するよう機能させることを特徴とする。
【００２３】
（広告スレッド残し、コメント削除）
本発明は、上記情報発信プログラムにおいて、サーバを、スレッドにおいて広告用として生成された広告用のスレッドについて、コメントの削除を行うが、当該広告用のスレッドの削除を行わないよう機能させることを特徴とする。
【００２４】
（地図上にスレッドのアイコン表示）
本発明は、上記情報発信プログラムにおいて、サーバを、地図上で対応する位置にスレッドのアイコンを表示するよう機能させることを特徴とする。
【００２５】
（地図エリア内のスレッド一覧表示）
本発明は、上記情報発信プログラムにおいて、サーバを、表示された地図のエリア内に位置するスレッドを一覧表示するよう機能させることを特徴とする。
【００２６】
（スマホに近い位置の順に一覧表示）
本発明は、上記情報発信プログラムにおいて、サーバを、ユーザの端末から近い位置の順にスレッドを一覧表示するよう機能させることを特徴とする。
【００２７】
（プッシュ機能）
本発明は、上記情報発信プログラムにおいて、サーバを、表示された地図のエリア内に位置するスレッドに関連付けられた新規のコメントが投稿されると、スレッドの生成に係るユーザの端末及びスレッドに関連付けられたコメントの投稿に係るユーザの端末に新規のコメントの投稿を通知するよう機能させることを特徴とする。
【００２８】
（グループチャネル）
本発明は、上記情報発信プログラムにおいて、サーバを、複数のスレッドをグループとするチャネルを複数設定可能とし、特定のチャネルがユーザの端末から選択されると、当該チャネル内のスレッドを表示出力し、有効期間を経過したチャネルを削除するよう機能させることを特徴とする。
【００２９】
（参加中のスレッド表示）
本発明は、上記情報発信プログラムにおいて、サーバを、ユーザ本人以外のスレッドであって当該ユーザがコメントしたスレッドを選択して参加中のスレッドとして一覧表示するよう機能させることを特徴とする。
【００３０】
（マイスレッド表示）
本発明は、上記情報発信プログラムにおいて、サーバを、ユーザ本人が生成したスレッドを選択してマイスレッドとして一覧表示するよう機能させることを特徴とする。
【発明の効果】
【００３１】
本発明によれば、発信情報を管理するサーバが、提供された地図情報における特定位置がユーザの端末によって指定されると、位置情報を取得し、当該位置情報に関連付けて、生成されたスレッドと、スレッドに関連付けて投稿されたコメントを記憶すると共に、ユーザの端末からの要求によりスレッドとコメントを表示出力し、有効期間を経過したコメントとスレッドを削除する情報発信システムとしているので、常に旬の情報だけが地図上の特定の位置に関連して残り、ユーザにとって古い情報に煩わされることがなく、今必要な情報のみを活用できる効果がある。
【００３２】
本発明によれば、発信情報を管理するサーバで動作するプログラムが、サーバを、提供された地図情報における特定位置がユーザの端末によって指定されると、位置情報を取得し、当該位置情報に関連付けて、生成されたスレッドと、スレッドに関連付けて投稿されたコメントを記憶すると共に、ユーザの端末からの要求によりスレッドとコメントを表示出力し、有効期間を経過したコメントとスレッドを削除するよう機能させる情報発信プログラムとしているので、常に旬の情報だけが地図上の特定の位置に関連して残り、ユーザにとって古い情報に煩わされることがなく、今必要な情報のみを活用できる効果がある。
【図面の簡単な説明】
【００３３】
【図１】本システムの構成ブロック図である。
【図２】記憶装置の概略を示す説明図である。
【図３】地図表示画面を示す概略図である。
【図４】スレッド一覧表示画面の概略図である。
【図５】スレッドとコメントの表示画面を示す概略図である。
【図６】スレッド管理テーブルの概略図である。
【図７】コメント管理テーブルの概略図である。
【図８】広告管理テーブルの概略図である。
【図９】本システムの削除処理のフローチャートである。
【図１０】別の地図表示画面を示す概略図である。
【図１１】別のスレッド一覧表示画面の概略図である。
【図１２】別のコメント一覧表示画面の概略図である。
【図１３】マイページの参加中のスレッド表示画面の概略図である。
【図１４】マイページのマイスレッド表示画面の概略図である。
【発明を実施するための形態】
【００３４】
本発明の実施の形態について図面を参照しながら説明する。
［実施の形態の概要］
本発明の実施の形態に係る情報発信システム（本システム）は、実施の形態に係る情報発信アプリ（本アプリ）を使用して、地図情報アプリの位置情報に連動して特定の位置が指定されると情報発信のスレッドを形成し、当該スレッドに情報を書き込んでスレッドを閉じると地図上の特定の位置に目印となるアイコンを表示し、本アプリの利用者によってそのアイコンが選択されるとスレッドを開いて、コメントを追加可能とし、当該コメントは、特定時間経過すると自動的に削除され、スレッドも関連する全てのコメントが削除されると自動的に削除されるようにしているので、常に旬の情報だけが地図上の特定の位置に残ることになり、利用者にとって古い情報に煩わされることがなく、今必要な情報のみを活用できるものである。
【００３５】
また、本システムでは、スレッドを広告用として利用し、その広告用のスレッドにコメントを追加可能とし、コメントは特定期間を経過すると削除されるものの、広告用のスレッドは削除しないで残すようにするものであり、店舗等の広告は地図上に残るものの、その広告に関連するコメントは特定期間経過後に削除されるので、古くなった情報を広告に掲載したままとなるのを防止できるものである。
尚、スレッドについて、広告用のスレッドと区別するために、それ以外のスレッドを「通常のスレッド」又は「一般のスレッド」と呼ぶことがある。
【００３６】
［本システム：図１］
本システムについて図１を参照しながら説明する。図１は、本システムの構成ブロック図である。
本システムは、図１に示すように、発信情報管理サーバ１と、地図情報提供サーバ２と、ネットワーク３と、複数のスマートフォン４とを基本的に有している。
【００３７】
［本システムの各部］
本システムの各部について具体的に説明する。
発信情報管理サーバ１は、スマートフォン４から発信された情報（発信情報）を、地図情報提供サーバ２から提供される地図情報に対応付けて記憶して管理し、発信情報をスマートフォン４に表示出力する。
発信情報管理サーバ１の構成及び処理については後述する。
【００３８】
地図情報提供サーバ２は、地図情報を提供し、その地図上における位置情報（座標データ）を管理している。
また、地図情報提供サーバ２は、発信情報管理サーバ１で地図上の特定位置を指定されると、当該位置の位置情報を発信情報管理サーバ１に出力する。
【００３９】
ネットワーク３は、インターネットを想定しており、発信情報管理サーバ１、地図情報提供サーバ２、スマートフォン４が接続する。
尚、ネットワーク３は、無線接続のための基地局３ａを備えている。
【００４０】
スマートフォン４は、ネットワーク３に無線接続する情報端末であって、ＧＰＳ（Global Positioning System）の位置情報（座標データ）を取得し、本アプリをユーザが利用する場合に位置情報を発信情報管理サーバ１に送信する。
スマートフォン４の代わりに、位置情報を取得できるタブレット端末等の通信機器であってもよい。
【００４１】
［発信情報管理サーバ１］
次に、本システムの発信情報管理サーバ１について具体的に説明する。
発信情報管理サーバ１は、本アプリがインストールされたスマートフォン４が接続してスレッドとコメントの投稿を受け付け、また、接続するスマートフォン４に既に投稿されたユーザの発信情報を提供して、スレッドとコメントの発信情報を管理する。
【００４２】
発信情報の提供に際しては、地図情報提供サーバ２から提供される地図情報の地図上に発信を示すアイコンを表示し、そのアイコンをスマートフォン４で選択すると、発信情報が参照されるようになっている。
【００４３】
発信情報は、発信内容のテーマとなるスレッドと、そのスレッドに関連するコメントとから構成され、表示される地図上ではスレッドに対応するアイコンが表示される。
スレッドとコメントの詳細は、後述する。
【００４４】
また、発信情報管理サーバ１は、接続するスマートフォン４のユーザ情報を記憶・管理している。
更に、発信情報管理サーバ１は、特定のスレッドを広告用として広告情報を管理して、スマートフォン４に広告情報を表示出力する。
【００４５】
そして、発信情報管理サーバ１は、ユーザからの発信情報を特定期間（有効期間）が経過すると削除する処理を行う。ここで、有効期間は、スレッドとコメントについてそれぞれ設けられており、コメントの有効期間よりスレッドの有効期間を長くしている。
また、スレッドの有効期間を定めず、当該スレッドに関連するコメントが有効期間を経過して削除されると、スレッドを削除するようにしてもよい。
発信情報の提供処理と削除処理、広告情報の提供処理については後述する。
【００４６】
発信情報管理サーバ１は、図１に示すように、制御部１１と、記憶装置１２と、インタフェース部１３とを基本的に有している。
制御部１１は、記憶装置１２に記憶する処理プログラムを読み込んで、処理を実行するものである。処理の内容及び機能実現手段については後述する。
【００４７】
記憶装置１２は、ユーザからの発信情報、ユーザ情報、広告主の広告情報を記憶し、更に発信情報の削除条件等を記憶している。
記憶装置１２の具体的な内容及びデータの構成については後述する。
インタフェース部１３は、ネットワーク３に接続するためのインタフェース部である。
【００４８】
［記憶装置１２：図２］
次に、記憶装置１２の内容について図２を参照しながら説明する。図２は、記憶装置の概略を示す説明図である。
記憶装置１２は、図２に示すように、スレッド情報記憶部１２１と、コメント情報記憶部１２２と、広告情報記憶部１２３と、ユーザ情報記憶部１２４と、条件記憶部１２５とを備えている。
尚、記憶装置１２は、制御部１１での処理を実行するための処理プログラム、必要なパラメータ等も記憶している。
【００４９】
［スレッド情報記憶部１２１］
スレッド情報記憶部１２１は、ユーザが生成した通常のスレッドに関する情報を記憶するものであり、スレッドを生成したユーザのユーザ情報、スレッド生成の位置情報、日時情報、そのスレッドの内容（タイトルやテキスト等）を記憶している。スレッド情報に関する管理テーブルは後述する。
【００５０】
［コメント情報記憶部１２２］
コメント情報記憶部１２２は、ユーザがスレッドに関連して投稿したコメントに関する情報を記憶するものであり、コメントを投稿したユーザ情報、コメント投稿の日時情報、そのコメントの内容（テキスト、写真、動画等）を記憶している。このコメントの内容には、いいね、わるいねのボタンが押された場合のいいね情報、わるいね情報が含まれる。コメント情報に関する管理テーブルは後述する。
【００５１】
［広告情報記憶部１２３］
広告情報記憶部１２３は、特定のスレッドを広告用とし、通常のスレッドと同様に表示される広告に関する情報を記憶するものであり、広告主のユーザ情報、広告掲載の日時情報、その広告の内容を記憶している。広告情報に関する管理テーブルは後述する。
【００５２】
［ユーザ情報記憶部１２４］
ユーザ情報記憶部１２４は、スマートフォン４のユーザ（通常の投稿者と広告主）に関連する情報を記憶している。
［条件記憶部１２５］
条件記憶部１２５は、スレッド及びコメントの削除に関する条件等を記憶している。
【００５３】
［本システムの概略動作］
本システムの概略動作について説明する。
まず、本システムのサービスをユーザが利用するには、発信管理サーバ１にアクセスするアプリケーション（本アプリ）をスマートフォン４にダウンロードしてインストールしておく必要がある。
【００５４】
本アプリをスマートフォン４で利用するには、ユーザを識別するためのユーザＩＤとしてスマートフォン４の機器ＩＤを発信管理サーバ１に登録することになり、後述するプッシュ機能を実現するには、ユーザ情報として電話番号又はメールアドレスとパスワードを登録することになる。
加えて、スマートフォン４では、位置情報を本アプリが提供可能にユーザに設定してもらう必要がある。
【００５５】
更に、ユーザ登録として、一般会員ではなくプレミアム会員として登録（エントリー）することが可能であり、その場合は、ユーザの詳細な情報（生年月日、性別、住所等）をもエントリーさせるようにしてもよい。プレミアム会員には、スレッドのアイコンとしてスタンプを提供することが考えられる。スタンプは、複数準備しておき、ユーザが選択可能とするのが望ましい。
また、プレミアム会員に、アイコンとして自分の好みのイラストや写真を使用できるニックネーム登録を行うようにしてもよい。
【００５６】
そして、ユーザは、本アプリを起動して位置情報に関連付けて発信情報のテーマとなるスレッドを生成することができる。位置情報としては、ユーザのスマートフォン４の現在位置又はユーザが指定する特定の位置の座標データとなる。
スレッドは、投稿の話題のテーマとなるもので、このテーマに関連して様々なユーザがコメントを投稿して追加できるものである。
【００５７】
［地図表示画面：図３］
ここで、本アプリによる地図表示画面について図３を参照しながら説明する。図３は、地図表示画面を示す概略図である。
地図表示画面は、図３に示すように、特に地域を指定しなければ、スマートフォン４の現在位置の地図が表示される。
特定の地域の地図を表示させたい場合は、画面上部の「検索」に地域名やエリア名、若しくは住所を入力すると、該当地域等の地図が表示される。
【００５８】
地図上では、特定位置にスレッドが生成されていることがアイコンで示されている。このアイコンがプレミアム会員によるスレッドであれば、特殊なアイコン又はスタンプになる。
【００５９】
また、アイコンもその場所（現在位置）でスレッドが生成されたのか、他の場所から指定されてスレッドが生成されたのかを区別するために、色を異なるものとしてもよい。色が異なっていれば、アイコンが現在位置に基づくものか、他の場所から指定されたものかを容易に判別できる。
地図上のアイコンを選択すると、後述する図５のスレッドとコメントの画面が表示される。
【００６０】
［スレッド一覧表示画面：図４］
また、図３の地図表示画面で、「一覧」を選択すると、図４のスレッド一覧表示画面が表示される。スレッド一覧表示画面について図４を参照しながら説明する。図４は、スレッド一覧表示画面の概略図である。
スレッド一覧表示画面は、図４に示すように、地図上に表示されたアイコンについてのスレッドの項目が表示されるようになっている。スレッドの項目の表示順は、最新順、いいね順、わるいね順、距離順から選択する。
【００６１】
最新順とは、更新日時が新しい順番にスレッドの項目を一覧で表示するものである。図４では、最新順でのスレッドの表示となっている。
いいね順とは、いいねボタンが押された回数が多い順番にスレッドの項目を一覧で表示するものである。
わるいね順とは、わるいねボタンが押された回数が多い順番にスレッドの項目を一覧で表示するものである。
距離順とは、ユーザのスマートフォン４の現在位置から距離が近い順番にスレッドの項目を一覧で表示するものである。
【００６２】
図４の表示画面の上側に、「検索」の欄があり、その欄にキーワードを入力することで、関連するスレッドの項目のみを選択（フィルタリング）して一覧で表示することができる。
また、各スレッドは、更新日時、いいねの数、わるいねの数、スレッドのテーマ内容、スマートフォン４の現在位置からの距離、ＭＡＰ（地図）への移行ボタンが表示されるようになっている。
ＭＡＰボタンが選択すると、そのスレッドの位置が中央となるよう地図が表示される。
【００６３】
［スレッドとコメントの表示画面：図５］
図３のスレッドのアイコン又は図４のスレッドの項目が選択されると、スレッドを開くことができ、図５のスレッドとコメントが表示されるようになっている。図５は、スレッドとコメントの表示画面を示す概略図である。
スレッドとコメントの表示画面は、図５に示すように、図４のスレッドの項目が、表示画面上部に表示され、その下側に、ユーザからのコメントが時系列で表示される。
【００６４】
コメントは、スレッドを開いたユーザが任意に入力して投稿できるもので、投稿の日時と投稿内容が表示される。
投稿内容は、文字のテキストに限らず、音声、写真（静止画）や動画であってもよい。
【００６５】
コメントの入力は、表示画面下側のコメントの欄から行うことができ、「送信」を選択すると投稿される。
また、右下側に「いいね」ボタンと「わるいね」ボタンが表示されているので、そのボタンを選択すると、当該コメントのいいねの回数又はわるいねの回数に反映される。
【００６６】
コメント投稿に関しては、人工知能（ＡＩ：Artificial Intelligence）を用いて、関連性のないコメントを排除するフィルタリングを行うことが考えられる。これにより、いたずらのコメント及び公序良俗に反するコメントを排除できる。
【００６７】
また、図示はしていないが、プッシュ通知を設定する設定画面を用意し、ユーザが、設定できるようにしてもよい。
プッシュ通知とは、ユーザの近所でコメントがあったときに、それを知らせる機能（コメント通知機能）である。設定としては、ユーザのスマートフォン４の現在位置から、例えば、中心から半径５０ｍ、半径２００ｍ又は半径５００ｍのいずれかを選択できるようにし、更に、「プッシュ通知しない」も選択可能とする。
【００６８】
また、プッシュ通知を、近所に設定するのではなく、ユーザが作成したスレッドについての新規コメント、またはユーザが投稿したコメントのスレッドにおける新規コメントについて、コメント通知機能を設定するようにしてもよい。この機能であれば、関連するスレッドについてだけのプッシュ通知となって利便性が向上するものである。
【００６９】
［データ管理状況：図６〜８］
次に、発信情報管理サーバ１の記憶装置１２におけるデータの管理状況について図６〜８を参照しながら説明する。図６は、スレッド管理テーブルの概略図であり、図７は、コメント管理テーブルの概略図であり、図８は、広告管理テーブルの概略図である。
スレッド情報については図６の管理テーブルで、コメント情報については図７の管理テーブルで、広告情報については図８の管理テーブルで管理されている。
【００７０】
［スレッド管理テーブル：図６］
スレッド管理テーブルは、図６に示すように、スレッドＩＤに対応して、ユーザＩＤ、種別、位置データ、日時データ、スレッドの内容データが対応付けられて記憶されている。
【００７１】
スレッドＩＤは、スレッド単位の識別情報である。
ユーザＩＤは、ユーザを識別するための情報であり、スマートフォン４の機器ＩＤ等が相当する。
種別は、スレッドの種類を示すもので、例えば、一般のユーザによって生成されたスレッドか、プレミアム会員によって生成されたスレッドかなど、ランク分けするものである。この種別の違いによって、スレッド生成又は削除の条件を異なるものにすることができる。
【００７２】
位置データは、スレッド生成の地図上の座標データである。位置データの欄には、スレッドを生成したユーザがスマートフォン４の現在位置を使用した場合には、その現在位置の座標データが設定され、地図上の特定位置をユーザが指定した場合には、地図情報提供サーバ２から応答があった座標データが設定されるものである。
位置データの欄には、座標データの他に、提供元の相違による現在位置又は特定位置の情報を記憶する。この情報に基づいてスレッドのアイコンを表示する際に、現在位置又は特定位置かが判別できるよう、アイコンの色を変えることができる。
【００７３】
日時データの欄には、スレッドが生成された日時のデータが設定される。この日時データは、スレッドを有効期間経過後に削除する場合には、起算時となるものである。
内容データの欄には、スレッドの内容、投稿のテーマが設定される。内容データの欄には、文字だけでなく、静止画、動画のデータを設定できるようにしてもよい。内容データとして、例えば、スレッドのタイトルとテキストを設定してもよい。
【００７４】
また、スレッド管理テーブルには、図示はしていないが、スレッドＩＤに対応付けて、いいねの回数、わるいねの回数を記憶する。これらの回数は、スレッドの一覧表示の場合に、いいね順又はわるいね順で表示させるために利用する。
【００７５】
［コメント管理テーブル：図７］
コメント管理テーブルは、図７に示すように、コメントＩＤに対応して、ユーザＩＤ、種別、関連付けられるスレッドＩＤ、日時データ、内容データが対応付けて記憶されている。
コメントＩＤは、コメント単位の識別情報である。
ユーザＩＤは、ユーザを識別する情報である。
種別は、コメントの種類を示すもので、投稿者のユーザのランクによって設定される内容が異なる。この種別の違いによって、コメント生成又は削除の条件を異なるものにすることができる。
【００７６】
日時データの欄には、コメントを投稿した日時のデータが設定される。この日時データは、コメントを削除する場合に、有効期限の起算時となるものである。
内容データの欄には、コメントの内容として、文字、静止画、動画のデータが設定される。
【００７７】
［広告管理テーブル：図８］
広告管理テーブルは、スレッドを広告用として扱うものであるから、スレッド管理テーブルと同様の構成となっており、図８に示すように、広告ＩＤに対応して、広告主のユーザＩＤ、種別、位置データ、日時データ、内容データが対応付けて記憶されている。
広告ＩＤは、広告単位の識別情報である。
ユーザＩＤは、広告主であるユーザを識別する情報である。
【００７８】
種別は、広告の種類を示すもので、広告主のランクによって設定される内容が異なる。この種別の違いによって、広告生成又は維持の条件を異なるものにすることができる。
日時データの欄には、広告を掲載した日時のデータが設定される。
内容データの欄には、広告の内容として、文字、静止画、動画のデータが設定される。
【００７９】
尚、図８では、広告情報について、広告管理テーブルにて管理するようにしたが、図６のスレッド管理テーブルで、種別を「広告」に設定し、スレッドを広告として扱うようにしてもよい。
【００８０】
［処理手段］
次に、本システムの発信情報管理サーバ１の制御部１１が処理プログラムを実行することで実現される機能実現手段を説明する。
機能実現手段には、位置情報取得手段と、スレッド生成・管理手段と、コメント管理手段と、広告生成・管理手段、削除条件設定手段と、ユーザ情報管理手段と、プッシュ通知手段等がある。
【００８１】
［位置情報取得手段］
位置情報取得手段は、本アプリを立ち上げて、地図を表示させた状態で、特定位置が長押しされて選択されると、地図アプリから位置情報（座標データ）を取得するようになっている。
スマートフォン４の現在位置を利用する場合には、スマートフォン４からの位置情報を取得する。
取得された位置情報は、スレッド管理テーブル、広告管理テーブルで利用される。
【００８２】
［スレッド生成・管理手段］
スレッド生成・管理手段は、ユーザのスレッド作成をサポートするために、地図上の特定位置が選択されると、新規スレッド作成画面を表示し、タイトルとテキストが入力されて送信されると、スレッドが生成されて投稿される。
尚、新規スレッドの作成画面で、現在位置を利用するチェック項目を設けて、スマートフォン４の現在位置に関連付けてスレッドを登録し、アイコンも現在位置に表示させるようにしてもよい。
【００８３】
具体的には、スレッド生成・管理手段は、図６のスレッド管理テーブルに、新規スレッドが生成されると、スレッドＩＤを付与し、ユーザのランクによって種別を設定し、位置データ、生成の日時データ、更に、タイトルとテキストの内容データを記憶する。
【００８４】
また、スレッド生成・管理手段は、地図上にスレッドのアイコンを表示する場合には、図６のスレッド管理テーブルを参照し、表示地図のエリアの範囲内にある位置データを検索し、該当するスレッドＩＤのアイコンを表示する。
また、スレッド生成・管理手段は、スレッドの一覧を表示させる指示が入力されると、表示地図のエリアの範囲内にある位置データを検索し、該当するスレッドＩＤのスレッド項目を、スレッド管理テーブルの内容データから読み込み、一覧として表示する。
【００８５】
スレッドの一覧では、最新順、いいね順、わるいね順、距離順で表示できるようになっている。
そのために、スレッド生成・管理手段は、いいねボタン又はわるいねボタンが押されると、その回数をカウントし、図６には示していないが、スレッド管理テーブルにいいねとわるいねのカウント数を記憶しておく。
【００８６】
そして、スレッド生成・管理手段は、最新順、いいね順、わるいね順、距離順での一覧表示の指示があると、スレッド管理テーブルを参照し、表示地図のエリアの範囲内にある位置データを検索し、該当するスレッドＩＤの日時データ、いいね回数、わるいね回数、位置データを参照し、日時データが新しい順、いいね回数が多い順、わるいね回数が多い順、スマートフォン４の現在位置から近い順で、スレッドの一覧を表示する。
【００８７】
そして、スレッド生成・管理手段は、スレッドの削除処理を行う。
具体的には、図６のスレッド管理テーブルのスレッドＩＤが、図７のコメント管理テーブルにスレッドＩＤの欄に設定されているか否かを判定し、コメント管理テーブルに設定されていなければ、スレッド管理テーブルから当該スレッドＩＤに関連するデータを削除する。
【００８８】
つまり、スレッド生成・管理手段は、スレッドを単純な有効期間で削除するのではなく、有効期間を経過したコメントが削除された結果、スレッドに関連付けられたコメントが全て存在しなくなった後にスレッドを削除するようにしている。これにより、古いコメントは残ることがないものの、新規のコメントが引き続き書き込まれるような息の長いスレッドは残ることになり、話題の継続性を保持できるものである。
【００８９】
尚、スレッド管理テーブルの種別が一般会員ではなく、プレミアム会員であれば、削除処理を実行しないか、削除のタイミングを遅くする処理を行ってもよい。
また、スレッド生成・管理手段は、スレッド管理テーブルの日時データだけで、特定の期間（有効期間）を経過したスレッドを単純に削除してもよい。
【００９０】
［コメント管理手段］
コメント管理手段は、図５のスレッドとコメントの画面を表示する場合には、選択されたスレッドについて、スレッド管理テーブルのスレッドＩＤから内容データを読み取り、図７のコメント管理テーブルから上記スレッドＩＤを含むコメントＩＤの内容データ読み取って、スレッドとコメントの表示を行う。
【００９１】
コメント管理手段は、図５のスレッドとコメント表示画面で、コメントの入力が為されると、コメント管理テーブルにコメントＩＤを付与し、ユーザのランクによる種別を設定し、関連するスレッドのスレッドＩＤを設定し、コメント投稿の日時データ、コメントの内容データを設定して管理を行う。
【００９２】
コメント管理手段は、コメントの削除処理を行う。
具体的には、コメント管理テーブルの日時データを参照し、特定の期間（有効期限）を過ぎているコメントについて、コメントＩＤ単位で関連するデータを削除する。
ここで、コメント管理テーブルの種別によっては、削除を実行しないか、削除のタイミングを遅らせるようにしてもよい。
【００９３】
［広告生成・管理手段］
広告生成・管理手段は、広告主が広告用のスレッドに広告データを入力することで広告用のスレッドの生成をサポートし、生成された広告用のスレッドを管理するものである。
広告用のスレッドを生成する場合には、広告生成・管理手段が、図８の広告管理テーブルに広告ＩＤを付与し、広告主又は広告作成者、広告掲載者のユーザＩＤ、種別、位置データ、日時データ、広告の内容データを設定する。
広告管理テーブルの設定は、スレッド管理テーブルの設定とほぼ同様である。
【００９４】
そして、広告作成・管理手段は、本アプリを利用するユーザのスマートフォン４に地図情報を提供すると共に、広告を示すアイコンを広告掲載位置に表示する。そのアイコンは、広告主のロゴ又は特殊なマークとしてもよい。
広告生成・管理手段は、広告主から広告料が支払われている限り、広告を削除することはない。
【００９５】
また、広告をスレッドと同様に、タイトルとテキスト等を広告管理テーブルの内容データで管理し、コメント管理テーブルのスレッドＩＤの欄に広告ＩＤを設定して、広告にユーザのコメントを掲載することもできる。尚、広告主がユーザとしてコメントを投稿することも可能である。
この場合、スレッドに相当する広告は削除しないが、ユーザ投稿のコメントは旬の情報を表示させるために、特定時間経過後に自動的に削除してもよい。
【００９６】
上記では、広告用のスレッドを削除しないようにしたが、短期的な広告、例えば３日、一週間など、通常のスレッドより少し長い期間ではあるが長期を希望しない広告主の広告については、短期間が経過した場合に削除するよう設定して、広告生成・管理手段がその短期間経過後に削除するようにしてもよい。
【００９７】
［削除条件設定手段］
削除条件設定手段は、コメント及びスレッドを削除するための条件を条件記憶部１２５に設定して記憶する。
削除の条件としては、種別毎の有効期間等がある。
種別として、一般会員のコメント又はスレッドの削除の有効期間より、プレミアム会員のコメント又はスレッドの削除の有効期間を長く設定することが考えられる。
【００９８】
また、有効期間は、固定の場合もあるし、一定の期間におけるコメントの数によって変動させてもよい。具体的には、一定期間にコメントが少ない場合は、有効期間を予め定めた期間（標準期間）より長くし、一定期間にコメントが多い場合には、有効期間を標準期間より短くする。つまり、標準期間より短い一定期間でのコメント数をカウントし、そのカウント数に応じて有効期間を変動させるものである。
【００９９】
［ユーザ情報管理手段］
ユーザ情報管理手段は、ユーザＩＤのスマートフォン４の機器ＩＤ、電話番号、メールアドレス、パスワード、ユーザ名、性別、生年月日、住所等のユーザ情報を管理する。
更に、ユーザ情報管理手段は、プッシュ通知に関する情報（プッシュ通知オン／オフ、プッシュ通知の距離等）も記憶して管理する。
【０１００】
［プッシュ通知手段］
プッシュ通知手段は、スマートフォン４の近所の位置に生成されたスレッドについて新規コメントが投稿された場合に、ユーザのスマートフォン４に新規コメントの投稿があったことを通知する。通知は、短い音又は振動によって行い、本アプリのアイコン及び新規コメントの投稿があったスレッドのアイコンの一部に赤丸で通知件数を表示する。
【０１０１】
具体的には、プッシュ通知手段は、定期的にユーザ情報からプッシュ通知オンとなっているユーザを抽出し、当該ユーザのスマートフォン４の位置データを取得する。
そして、新規のコメント投稿があると、コメント管理テーブルに新規コメントの登録を行い、関連するスレッドについてスレッド管理テーブルの位置データが、ユーザのスマートフォン４の位置データの近所（特定の範囲［距離］内）であるかどうかを判定し、特定の範囲内であれば、当該スマートフォン４にプッシュ通知を行う。
【０１０２】
また、ユーザがコメントした特定のスレッドについての限定的なプッシュ通知であれば、新規コメントの投稿があった特定のスレッドについて、コメント管理テーブルの特定のスレッドＩＤに対応するユーザＩＤを抽出し、当該ユーザＩＤについてプッシュ通知の情報を参照して、プッシュオンになっているユーザＩＤを抽出し、そのユーザＩＤのユーザにプッシュ通知を行うことになる。
【０１０３】
［削除処理フロー：図９］
次に、本システムにおけるコメントとスレッドの削除処理について図９を参照しながら説明する。図９は、本システムの削除処理のフローチャートである。
本システムのコメントとスレッドの削除処理は、図９に示すように、発信情報管理サーバ１の制御部１１が、記憶装置１２のコメント情報記憶部１２２のコメント管理テーブルを参照し、日時データを参照して有効期間が経過したコメントがあるか否かを判定し（Ｓ１）、有効期間を経過したコメントがなければ（Ｎｏの場合）、判定処理Ｓ１を繰り返す。
【０１０４】
判定処理Ｓ１で、有効期間が経過したコメントがある場合（Ｙｅｓの場合）には、制御部１１は、有効期間を経過したコメントを削除する処理を行う（Ｓ２）。このコメントの削除により、コメント管理テーブルからコメントＩＤ単位に削除される。
【０１０５】
続いて、制御部１１は、スレッド管理テーブルのスレッドＩＤが、コメント管理テーブルのスレッドＩＤにあるか否かを照合し、スレッド管理テーブルのスレッドＩＤがコメント管理テーブルのスレッドＩＤ欄に存在しない場合、つまり、スレッドにおけるコメントが全て削除されたか否かを判定する（Ｓ３）。
【０１０６】
全てのコメントが削除されたスレッドがなければ（Ｎｏの場合）、判定処理Ｓ１に戻る。
全てのコメントが削除されたスレッドがあれば（Ｙｅｓの場合）、全てのコメントが削除されたスレッドの削除を行う（Ｓ４）。このスレッドの削除により、スレッド管理テーブルからスレッドＩＤ単位で削除される。
そして、処理を終了する。図９に示した処理は、発信管理サーバ１の制御部１１で定期的に、例えば１時間毎に、起動されて実行されるものである。
【０１０７】
［応用例１：グループチャネル］
図３の地図表示画面及び図４のスレッド一覧表示では、ユーザが検索欄にキーワードを入力して関心のあるスレッドを抽出するようにしているが、検索とは別にカテゴリー又はジャンル毎のチャネルを設け、チャネル選択で目的のスレッドを探せるようにしてもよい。例えば、「食べる」「遊ぶ」「ショッピング」等のようにカテゴリーをグループ化し、グループに対応するチャネルを、画面に表示したチャネルボタンで選択することでカテゴリーの選択を行うようにしてもよい。
【０１０８】
上記のグループチャネルは、誰でもそのグループに参加できるオープンなチャネルであったが、クローズドなチャネルであってもよい。
この場合、スレッドと同様に、ユーザがグループチャネルを生成できるようにし、そのグループチャネルを生成した時に、発信情報管理サーバ１からユーザのスマートフォン４にパスワードを付与する。そして、そのユーザが仲間内にパスワードを知らせて仲間内だけのグループチャネルを生成し、その中にスレッドを生成して、コメントを投稿できるようにするものである。
【０１０９】
尚、グループチャネルについては、その中のスレッドが全て削除された場合には、グループチャネルも削除されるようにするか、グループチャネルも一律に特定期間を経過したら削除するようにしてもよい。
【０１１０】
［応用例２：音声、写真、動画のリアルタイム性］
図示はしていないが、コメント投稿画面で、音声、写真、動画を投稿する場合には、その投稿画面に用意された、音声録音ボタン、カメラ撮影ボタン、動画撮影ボタンのみを利用可能として、その場で録音された音声、撮影された写真、動画のみしか投稿できないように制限するようにしてもよい。このように制限することで、別の場所で録音、撮影されたデータが投稿されてしまうことがなく、音声、写真、動画のリアルタイム性を担保することができる。従って、投稿される写真等は加工されないものである。
【０１１１】
［応用例３：その他の機能］
ユーザからの投稿が不適切であった場合に、本システムの管理者が当該ユーザの本アプリの使用を禁止するために、当該ユーザが本アプリを立ち上げようとした場合に、本アプリが使用できない旨のメッセージを表示して、本アプリを動作しないようにすることができる。
【０１１２】
また、スレッドの評価として、わるいねの回数が特定数以上になると、当該スレッドを生成したユーザの新たなスレッドの生成とコメントの投稿を特定期間できないように発信情報管理サーバ１で制御するようにしてもよい。
この場合、発信情報管理サーバ１の制御部１１は、スレッドにおけるわるいね回数をカウントし、そのカウント値が特定値となったときに、当該スレッドを生成したユーザのスレッド生成とコメント投稿を禁止するものである。
【０１１３】
［応用例４：別の地図表示画面：図１０］
次に、応用例４として、別の地図表示画面について図１０を参照しながら説明する。図１０は、別の地図表示画面を示す概略図である。
図３に地図表示画面を示したが、図１０の表示画面では、地図の下側に「地図」、「スレッド」、「＋」、「コメント」、「マイページ」のアイコンが横方向に表示されている。
【０１１４】
「地図」のアイコンを選択すると、現在位置の地図が表示されるようになっている。その他の「スレッド」「＋」「コメント」「マイページ」アイコンの選択処理については後述する。
尚、本アプリを立ち上げた時に、本アプリの使用方法を示すチュートリアル画面を表示して、現在位置の地図画面を表示してもよい。
【０１１５】
［応用例５：別のスレッド一覧表示画面：図１１］
次に、応用例５として、別のスレッド一覧表示画面について図１１を参照しながら説明する。図１１は、別のスレッド一覧表示画面の概略図である。
「スレッド」のアイコンが選択されると、図１１に示すようなスレッド一覧表示画面が表示される。
図４にスレッド一覧表示画面を示したが、図１０の下側の「スレッド」アイコンを選択すると、図１１に示すスレッド一覧表示画面が表示されるようにしてもよい。
【０１１６】
尚、図１１では、上側に「スレッド」のタイトルが表示され、その下に「距離」「最新」「ナイス」「ガッカリ」が選択可能となっている。
「距離」の文字が選択されると、スレッドが現在位置から近い順に現在位置からの直線距離の数値（例えば、１０ｍ等）と共に一覧で表示される。
【０１１７】
また、「最新」の文字が選択されると、現在時点から生成日時が近い順にスレッドが日時と共に一覧で表示される。
尚、図１１は、新しいものから順にスレッドが一覧で表示された例となっている。
また、「ナイス」の文字が選択されると、当該スレッドに対して「ナイス」ボタンが押された回数の多い順に当該回数と共に表示される。
また、「ガッカリ」の文字が選択されると、当該スレッドに対して「ガッカリ」ボタンが押された回数の多い順に当該回数と共に表示される。
【０１１８】
［応用例６：別のコメント一覧表示画面：図１２］
次に、応用例６として、別のコメント一覧表示画面について図１２を参照しながら説明する。図１２は、別のコメント一覧表示画面の概略図である。
「コメント」のアイコンが選択されると、既に選択されて表示されたスレッドについてコメント一覧表示画面が表示されるものである。
図１２に示すように、別のコメント一覧表示画面では、上側に「コメント」のタイトルを表示し、その下に「距離」「最新」「ナイス」「ガッカリ」を選択可能としている。
【０１１９】
その場合、「距離」は、コメントされた場所が当該ユーザの現在位置から近い順にコメントを距離の数値と共に一覧で表示し、「最新」は、現在時点から生成日時が近い順にコメントが日時と共に一覧で表示され、「ナイス」は、「ナイス」ボタンが押された回数の多い順に当該回数と共にコメントが表示され、「ガッカリ」は、「ガッカリ」ボタンが押された回数の多い順に当該回数と共にコメントが表示されるものである。
【０１２０】
また、画面下側の「＋」のアイコンは、スレッドの一覧表示画面が表示されているときに選択されると、新たなスレッドを作成でき、特定のスレッドが表示されているか、若しくは特定のスレッドについてのコメント一覧表示画面が表示されているときに選択されると、新たなコメントを作成できるものである。
【０１２１】
［応用例７：マイページ表示：図１３，１４］
次に、応用例７として、マイページ表示画面について図１３，１４を参照しながら説明する。図１３は、マイページの参加中のスレッド表示画面の概略図であり、図１４は、マイページのマイスレッド表示画面の概略図である。
「マイページ」のアイコンが選択されると、図１３又は図１４のいずれかのマイページ画面が表示される。
マイページ画面とは、自分が生成したスレッド（マイスレッド）と、他人のスレッドに自分がコメントを書き込んで参加しているスレッド（参加中のスレッド）とを選択して表示できる画面である。
【０１２２】
［参加中のスレッド表示画面：図１３］
マイページ表示画面における参加中のスレッド表示画面は、図１３に示すように、上部の「マイページ」の左下の「参加中のスレッド」の表示が選択されると、当該ユーザが現在参加中のスレッドの一覧が表示される。図１３では、表示の残り時間が少ない順に残り時間と共に参加中のスレッドの一覧が表示されるようになっている。
尚、画面の右下の「マイページ」のアイコンが選択された場合に、デフォルトとして図１３の「参加中スレッド」を表示してもよい。
【０１２３】
［マイスレッド表示画面：図１４］
マイページ表示画面におけるマイスレッド表示画面は、図１４に示すように、上部の「マイページ」の右下の「マイスレッド」の表示が選択されると、当該ユーザが自分で立ち上げたスレッド（マイスレッド）の一覧が表示される。図１４では、表示の残り時間が少ない順に残り時間と共にマイスレッドの一覧が表示されるようになっている。
【０１２４】
［応用例８：アプリの設定機能］
その他、本アプリの設定機能として、地図の表示エリアをユーザが選択できるようにする。例えば、ユーザのスマートフォン４の現在位置を中心として半径５００ｍ、１０００ｍ等を設定画面で選択可能とする。
尚、表示エリアにスレッドとコメントを連動させてもよい。つまり、当該表示エリア内のスレッドとコメントを選択的に表示させるものである。
また、表示エリアの設定で、現在位置ではない特定のエリアを検索して表示させるようにしてもよい。
【０１２５】
また、地図上におけるスレッドのアイコン（スレッドアイコン）が同じ場所で複数立つ場合があるので、その場合は複数のスレッドアイコンが重なっている表示にし、複数のスレッドがあることを分るようにしている。
【０１２６】
［応用例９：スレッド生成の制限］
本アプリにおいて、デマやいたずらを防止するために、スレッドに掲載できる写真・動画データは、既に保存した写真・動画データを使用させないようにする。つまり、スレッド投稿時に用意されたカメラアプリで撮影された写真・動画データのみが、スレッド投稿に使用できるよう制限する。これにより、信頼性の高いスレッドを生成できる。
【０１２７】
［応用例１０：グループチャネルの応用］
応用例１でグループチャネルについて説明したが、特定のグループを公的機関、企業又は個人等に割り当て、その公的機関等だけがスレッドを投稿できるようにし、他のユーザはそのスレッドにコメントのみ投稿できるようにする。
このようにすることで、スレッドの信頼性を向上させることができ、災害等の場合に有用で信用できる情報を提供できる。
また、公共機関は発信する緊急災害情報をトリガーに本アプリを自動的に立ち上げ、更に、災害専用のグループチャネルを生成するようにしてもよい。
【０１２８】
［応用例１１：クーポン・スタンプ配信］
企業等のグループチャネルでは、ユーザ登録したユーザにのみスレッド投稿を許可し、当該スレッドに企業側からクーポンをコメント投稿機能により配信する。
企業等が配信したクーポンを確認する場合には、ユーザが上述したマイページのマイスレッドの表示画面（図１４）でクーポンを表示し、企業側に提示する。
【０１２９】
また、スタンプラリーにおいて、スタンプのある場所でユーザがスレッドを立ち上げ、その場所に設けられた２次元バーコードを読み取ると、当該スレッドにスタンプを配信する。スタンプの確認は、ユーザがマイページのマイスレッドの表示画面（図１４）でスタンプを表示し、スタンプラリーの主催者に提示する。
【０１３０】
［応用例１１：音声操作］
これまでスマートフォンの画面で指による本アプリの操作を説明したが、音声認識により音声で本アプリを操作できるようにする。
更に、音声によって、スレッド投稿、コメント入力を可能とすれば、手が使えない状況でも情報を発信できる。
【０１３１】
［応用例１２：起動時に地図表示画面にスレッドタイトル表示］
また、応用例１２として、本アプリを起動してスマートフォン４の位置情報に基づいて表示部に地図情報を表示する場合に、表示される地図情報のエリア内でのスレッドについてタイトルを一覧（スレッドタイトル一覧）で地図表示画面に表示させるようにしてもよい。
【０１３２】
スレッドタイトル一覧では、最新のスレッドタイトルから表示させてもよいし、「ナイス」の多い順、距離の近い順に表示させてもよい。
これにより、ユーザは、ユーザの位置情報を中心としたエリア内で、どのようなスレッドが生成されているのかを、スレッドタイトル一覧で容易に知ることができる。
【０１３３】
［応用例１３：選択スレッドのみを地図上に表示］
また、応用例１２で表示させたスレッドタイトル一覧からタイトルを選択してスレッドを表示させてもよいが、応用例１３として、スレッドタイトル一覧から１つ又は複数のタイトルを選択可能とし、選択したスレッドタイトルのスレッドのみに制限して地図表示画面に当該スレッドのアイコンを表示してもよい。
これにより、ユーザは、自分で選択した関心のあるスレッドのアイコンのみを表示させることができ、多くのスレッドのアイコンが表示されるエリアでは、関心のないスレッドをふるいにかける（フィルタリング）ことができる。
【０１３４】
また、ユーザが選択したスレッドのアイコンのみを表示させるのではなく、地図表示画面のエリア内に、全てのスレッドのアイコンを表示するようにし、選択したスレッドのアイコンについて色を変えて、若しくは、アイコンのサイズを大きくする等の強調を行って表示させるようにしてもよい。
これにより、ユーザは、自分が選択したスレッドのタイトルのアイコンをその他のアイコンより目立たせて表示させることができる。
【０１３５】
［応用例１４：ユーザフォローのスレッド表示］
応用例１４として、ユーザがスレッドを生成した特定の人をフォローする機能を設け、当該特定人が生成したスレッドのアイコンの全てをユーザの地図表示画面に表示してもよい。
具体的には、気に入ったスレッドについて、その生成者（スレッドＩＤに対応する生成者であるユーザＩＤ）をフォローする旨、登録しておけば、図６のスレッド管理テーブルを参照して生成者のユーザＩＤから得られるスレッドＩＤのアイコンをエリア内に表示する。
【０１３６】
つまり、地図表示画面のエリア内には、特定の人のスレッドのアイコンのみが表示される。これにより、ユーザが注目するスレッドの生成者をフォローできる。
また、特定の人のスレッドのアイコンのみが表示させるのではなく、その他のスレッドのアイコンと区別できるよう、色を変えて表示させ、若しくは、強調表示させてもよい。
【０１３７】
［応用例１５：起動時のスレッド、コメント情報のダウンロード］
応用例１５として、本アプリを起動した時に、表示させる地図情報のエリア内のスレッド情報、コメント情報を発信情報管理サーバ１からスマートフォン４の記憶部にダウンロードし、ダウンロードしたスレッド情報、コメント情報を表示させるようにすれば、スマートフォン４での表示処理を高速化できる。
尚、ダウンロードしたスレッド情報、コメント情報は、本アプリを終了した場合には自動的に削除されるようにプログラム制御する。
【０１３８】
［実施の形態の効果］
本システムによれば、発信情報管理サーバ１が、地図情報提供サーバ２から提供された地図情報における特定位置がユーザのスマートフォン４によって指定されると、位置情報を取得し、当該位置情報に関連付けて、生成されたスレッドと、スレッドに関連付けて投稿されたコメントを記憶装置１２に記憶すると共に、ユーザのスマートフォン４からの要求によりスレッドとコメントを表示出力し、有効期間を経過したコメントとスレッドを削除するようにしているので、常に旬の情報だけが地図上の特定の位置に関連して残り、ユーザにとって古い情報に煩わされることがなく、今必要な情報のみを活用できる効果がある。
【０１３９】
また、本システムによれば、スレッドを有効期間で削除するのではなく、有効期間を経過したコメントが削除された結果、スレッドに関連付けられたコメントが全て削除された後にスレッドを削除するようにしているので、コメントは古くならないが、息の長いスレッドは残ることになり、話題の継続性を保持できる効果がある。
【産業上の利用可能性】
【０１４０】
本発明は、地図上で情報発信を行うことができ、古くなった情報を特定期間経過後に削除して旬の情報を残すことができる情報発信システム及び情報発信プログラムに好適である。
【符号の説明】
【０１４１】
１…発信情報管理サーバ、  ２…地図情報提供サーバ、  ３…ネットワーク、  ４…スマートフォン、  １１…制御部、  １２…記憶装置、  １３…インタフェース部、  １２１…スレッド情報記憶部、  １２２…コメント情報記憶部、  １２３…広告情報記憶部、  １２４…ユーザ情報記憶部、  １２５…条件記憶部
【図１】
2020071861.tif 000003
【図２】
2020071861.tif 000004
【図３】
2020071861.tif 000005
【図４】
2020071861.tif 000006
【図５】
2020071861.tif 000007
【図６】
2020071861.tif 000008
【図７】
2020071861.tif 000009
【図８】
2020071861.tif 000010
【図９】
2020071861.tif 000011
【図１０】
2020071861.tif 000012
【図１１】
2020071861.tif 000013
【図１２】
2020071861.tif 000014
【図１３】
2020071861.tif 000015
【図１４】
2020071861.tif 000016